(57)【要約】      （修正有）【課題】多数のコップ類のほか、フォークやスプーン、箸なども同時に洗浄・乾燥することが可能な洗浄乾燥用のコップ類スタンドを提供する。【解決手段】複数の上向きポール状体が円周状に配設されている円周状上向きポールユニットを中心軸に複数段に装備してあるか、又は吸水用若しくは乾燥用の布巾類を拡げられる敷布手段を最下段に装備してある。【選択図】図１
0003154025.tif 000002
【実用新案登録請求の範囲】
【請求項１】
複数のコップ類を同時に洗浄し、逆さにして同時乾燥させるのに適するコップ類スタンドであって、
複数の上向きポール状体が円周状に配設されていること、
この円周状向きポールユニットが中心軸に複数段に装備されているか、又は吸水用若しくは乾燥用の布巾類を拡げられる敷布手段が最下段に装備されていることを特徴とするコップ類スタンド。
【請求項２】
複数のコップ類を同時に洗浄し、逆さにして同時乾燥させるのに適するコップ類スタンドにおいて、
上向きポール状体を円周状に複数本配設してなる円周状上向きポールユニットを複数段に装備可能な構造であって、
少なくとも上側の段の円周状上向きポールユニットが上下にスライド可能にかつ回転可能に中心軸に装備されていることを特徴とするコップ類スタンド。
【請求項３】
上向きポール状体を円周上に複数本配設してなる円周状上向きポールユニットを複数段に装備可能な構造であって、
少なくとも上側の段の円周状上向きポールユニットが上下にスライド可能にかつ回転可能に中心軸に装備されており、
上側の段の円周状上向きポールユニットを上下スライドした位置において、下降しないようにロックするストッパー手段を有していることを特徴とする請求項１または請求項２に記載のコップ類スタンド。
【請求項４】
複数のコップ類を同時に洗浄し、逆さにして同時乾燥させるのに適するコップ類スタンドにおいて、
上向きポール状体を円周状に複数本配設してなる円周状上向きポールユニットが中心軸に２段装備されており、
しかも上段のポール状体と下段のポール状体とが１本の一体のポール状体から成り、小径位置に配設された上段のポール状体は、大径位置に配設された下段の隣接ポール状体の中間に位置するように形成されていることを特徴とするコップ類スタンド。
【請求項５】
前記のポール状体を挿入又は挿通できる小径筒体が、箸やフォーク、スプーンなどの食事用器具を入れるコップ状の水切り容器の側面に設けてあることを特徴とする請求項１から請求項４までのいずれかに記載のコップ類スタンド。
【請求項６】
フォークやスプーンなどの首部又は前記ポールが挿通される環状部から伸びた両腕部に、前記ポール又はフォークやスプーンなどの首部が挿通される凹円弧状部を有し、先端はポールや前記首部を挿入し易いように開いている着脱補助具を有することを特徴とする請求項１から請求項５までのいずれかに記載のコップ類スタンド。
【請求項７】
上段又は下段のユニットの各上向きポール状体が上拡がりに開いていて、その中に布巾やキッチンペーパなどの吸水手段を拡げられる構成になっていることを特徴とする請求項１から請求項６までのいずれかに記載のコップ類スタンド。
【考案の詳細な説明】
【技術分野】
【０００１】
本考案は、水や清涼飲料、ビール、茶などを飲んだりするのに多用されるコップ、マグカップ、湯飲み茶碗、哺乳瓶などのような底の深い飲用容器すなわちコップ類を、洗浄後の水切れが良いように逆さに掛けるのに適したコップ類スタンドに関する。
【背景技術】
【０００２】
特許文献１において、マグカップやガラスコップの洗浄後の保持乾燥器具として、その図１のように、各カップ１をカップ内底２が下方に向いた状態でフック５に引掛け、吊り下げライン３の上端をキッチン用品吊り下げバー４に懸架してカップホルダー全体を保持するカップホルダーが提案されている。
【先行技術文献】
【特許文献】
【０００３】
【特許文献１】特開２００３−２５９９６０
【考案の概要】
【考案が解決しようとする課題】
【０００４】
特許文献１のような構造の場合、（１）キッチンの机上面積を占有しない。（２）流し台の真上にセットすることができ炊事時の動線を短くする。（３）グラスやカップの気に入った装飾模様がキッチンの雰囲気を明るくする。といった効果を奏するが、例えば業務用などのように、洗浄し乾燥させるコップ類が多数有る場合は、多数同時処理することができず、不便である。
特に、高齢者が病院や老人ホームなどで院内感染や集団感染するといった社会問題が発生しており、また新型インフルエンザの流行による大量死などの問題が恐れられているが、このような感染を防止する上でも、多人数で使用する大量のコップ類やフォーク、スプーン、箸などの食事用器具を洗浄乾燥する場合は、確実に洗浄しかつ迅速に乾燥させて、清潔にかつ衛生的に取り扱うことが必要となる。
本考案の技術的課題は、このような問題に着目し、多数のコップ類を同時に洗浄し乾燥させるのに便利で、しかもフォークやスプーン、箸なども同時に洗浄・乾燥することが可能な洗浄乾燥用のコップ類スタンドを実現することにある。特に感染防止にも有効なように、清潔かつ衛生的に迅速乾燥したり、取り扱うことができ、家庭用のように少人数用の場合は、装飾機能も兼用可能な多機能型のコップ類スタンドを実現することにある。
【課題を解決するための手段】
【０００５】
本考案の技術的課題は次のような手段によって解決される。請求項１は、複数のコップ類を同時に洗浄し、逆さにして同時乾燥させるのに適するコップ類スタンドであって、
複数の上向きポール状体が円周状に配設されていること、
この円周状上向きポールユニットを中心軸に複数段に装備してあるか、又は吸水用若しくは乾燥用の布巾類を拡げられる敷布手段を最下段に装備してあることを特徴とするコップ類スタンドである。複数段の円周状上向きポールユニット同士は、一体構造でもよいし、相対的に互いに上下動可能でもよい。ポール状体は、コップ類を逆さに掛けられるように、ポール状をしておれば足りる。
【０００６】
このように、複数の上向きポール状体が円周状に配設されているため、複数のコップ類をほぼ同時に洗浄した状態で、逆さに掛けて同時乾燥させることができる。そして、このような円周状上向きポールユニットを複数段に装備してあるため、より多数のコップ類を同時乾燥させることができる。
また、吸水用若しくは乾燥用の布巾類を拡げられる敷布手段を最下段に装備してあるため、上段の円周状上向きポールユニットの各ポール状体に逆さに掛けた各コップ類から滴下する水滴を布巾やキッチンペーパーなどで受けて吸水でき、水滴が滴下して床を濡らしたり、下を通過する人が濡れる恐れもない。
【０００７】
請求項２は、複数のコップ類を同時に洗浄し、逆さにして同時乾燥させるのに適するコップ類スタンドにおいて、
上向きポール状体を円周状に複数本配設してなる円周状上向きポールユニットを複数段に装備可能な構造であって、
少なくとも上側の段の円周状上向きポールユニットが上下にスライド可能にかつ回転可能に中心軸に装備されていることを特徴とするコップ類スタンドである。
このように、円周状上向きポールユニットを複数段に装備した構造において、少なくとも上側の段の円周状上向きポールユニットが上下にスライド可能にかつ回転可能に中心軸に装備されているため、使用しない場合や運搬時には、上段の円周状上向きポールユニットを下降させて、下段の円周状上向きポールユニットの上に重ねることによってコンパクト化できる。
洗浄したコップ類の乾燥に際し、上段の円周状上向きポールユニットを上昇させて、下段の円周状上向きポールユニットとの間隔を拡大すると、下段の円周状上向きポールユニットにもコップ類を逆さに掛けたり、乾燥後に取り外したり、取り扱いが簡便になる。また、常に手前で着脱できるように、ユニット単位で回転できるので、作業が楽である。
【０００８】
請求項３は、上向きポール状体を円周上に複数本配設してなる円周状上向きポールユニットを複数段に装備可能な構造であって、
少なくとも上側の段の円周状上向きポールユニットが上下にスライド可能にかつ回転可能に中心軸に装備されており、
上側の段の円周状上向きポールユニットを上下スライドした位置において、下降しないようにロックするストッパー手段を有していることを特徴とする請求項１または請求項２に記載のコップ類スタンドである。
このように、上側の段の円周状上向きポールユニットが上下にスライド可能にかつ回転可能に中心軸に装備されており、
上側の段の円周状上向きポールユニットを上下スライドした位置において、下降しないようにロックするストッパー手段を有しているので、使用時に上段の円周状上向きポールユニットを、昇降スライドさせた位置にロックでき、ストッパー手段を解除すると、自由に上下スライド可能となる。
【０００９】
請求項４は、複数のコップ類を同時に洗浄し、逆さにして同時乾燥させるのに適するコップ類スタンドにおいて、
上向きポール状体を円周状に複数本配設してなる円周状上向きポールユニットが中心軸に２段装備されており、
しかも上段のポール状体と下段のポール状体とが１本の一体のポール状体から成り、小径位置に配設された上段のポール状体は、大径位置に配設された下段の隣接ポール状体の中間に位置するように形成されていることを特徴とするコップ類スタンドである。
このように、円周状上向きポールユニットが２段装備されており、しかも上段のポール状体と下段のポール状体とが１本の一体のポール状体から成り、小径位置に配設された上段のポール状体は、大径位置に配設された下段の隣接ポール状体の中間に位置するように形成されているので、上段の各上向きポール状体と下段の各上向きポール状体との取付け固定手段を兼用して簡素化でき、全体の構造をシンプルにかつコストダウンできる。
しかも、上段の小径位置の上向きポールと下段の大径位置の上向きポールとは、内外にもジグザグ状にずれているので、大形のコップ類を上向きポールに被せて支持する場合でも、互いに邪魔になることはなく、かつ全体的に小型化される。
【００１０】
請求項５は、前記のポール状体を挿入又は挿通できる小径筒体が、箸やフォーク、スプーンなどの食事用器具を入れるコップ状の水切り容器の側面に設けてあることを特徴とする請求項１から請求項４までのいずれかに記載のコップ類スタンドである。小径筒体は、上下両端が共に開口していても、天井部を有していてもよい。
このように、前記のポール状体を挿入又は挿通できる小径筒体が、箸やフォーク、スプーンなどの食事用器具を入れるコップ状の水切り容器の側面に設けてあるため、多数の上向きポール状体の一部を利用して、小径筒体によってコップ状水切り容器を掛けた状態で、箸やフォーク、スプーンなどの食事用器具を挿入して乾燥できるので、単独では掛けたりできない、箸やフォーク、スプーンなどの食事用器具の洗浄後の乾燥が簡便になる。
【００１１】
請求項６は、フォークやスプーンなどの首部又は前記ポールが挿通される環状部から伸びた両腕部に、前記ポール又はフォークやスプーンなどの首部が挿通される凹円弧状部を有し、先端はポールや前記首部を挿入し易いように開いている着脱補助具を有することを特徴とする請求項１から請求項５までのいずれかに記載のコップ類スタンドである。
このように、フォークやスプーンなどの首部が挿通される環状部から伸びた両腕部に、前記ポールが挿通される凹円弧状部を有し、先端はポールや前記首部を挿入し易いように開いている着脱補助具を有するため、図２（２）のように、フォークやスプーンなどの首部を環状部に挿通した状態で、凹円弧状部に支持ポールを先端の開放部から挿入すると、コップ類を被せるポールを兼用して、フォークやスプーンを取付けて乾燥させることができる。
図２（３）のように、前記ポールを環状部に挿通し、フォークやスプーンなどの首部を凹円弧状部に挿通する使い方も可能である。フォークやスプーンなどは、複数本挿入も可能である。
【００１２】
請求項７は、上段又は下段のユニットの各上向きポール状体が上拡がりに開いていて、その中に布巾やキッチンペーパなどの吸水手段を拡げられる構成になっていることを特徴とする請求項１から請求項６までのいずれかに記載のコップ類スタンドである。
このように、上段又は下段のユニットの各上向きポール状体が上拡がりに開いていて、その中に布巾やキッチンペーパなどの吸水手段を拡げられる構成になっているため、各上向きポール状体によってコップ類を掛けて乾燥できるだけでなく、布巾やキッチンペーパなどの吸水手段を拡げておけば、その上に、洗浄後の箸やフォーク、スプーン、箸置きなどを入れて乾燥させることもでき、コップ状の水切り容器や着脱補助具は必ずしも必要無い。
【考案の効果】
【００１３】
請求項１のように、複数の上向きポール状体が円周状に配設されているため、複数のコップ類をほぼ同時に洗浄した状態で、逆さに掛けて同時乾燥させることができ、このような円周状上向きポールユニットを複数段に装備してあるため、より多数のコップ類を同時乾燥させることができる。
また、吸水用若しくは乾燥用の布巾類を拡げられる敷布手段を最下段に装備してあるため、上段の円周状上向きポールユニットの各ポール状体に逆さに掛けた各コップ類から滴下する水滴を布巾やキッチンペーパーなどで受けて吸水でき、水滴が滴下して床を濡らしたり、下を通過する人が濡れる恐れもない。
【００１４】
請求項２のように、上段の円周状上向きポールユニットが上下にスライド可能にかつ回転可能に中心軸に装備されているため、使用しない場合や運搬時には、上段の円周状上向きポールユニットを下降させて、下段の円周状上向きポールユニットの上に重ねることによってコンパクト化できる。
洗浄したコップ類の乾燥に際し、上段の円周状上向きポールユニットを上昇させて、下段の円周状上向きポールユニットとの間隔を拡大すると、下段の円周状上向きポールユニットにもコップ類を逆さに掛けたり、乾燥後に取り外したり、取り扱いが簡便になる。また、常に手前で着脱できるように、ユニット単位で回転できるので、作業が楽である。
【００１５】
請求項３のように、上段の円周状上向きポールユニットが上下にスライド可能にかつ回転可能に中心軸に装備されており、しかも吸水用若しくは乾燥用の布巾類を拡げられる敷布手段を最下段に装備可能な構造において、敷布手段より上の段の円周状上向きポールユニットを上下スライドした位置において、下降しないようにロックするストッパー手段を有しているので、使用時に敷布手段より上の段の円周状上向きポールユニットを、昇降スライドさせた位置にロックでき、ストッパー手段を解除すると、自由に上下スライド可能となる。
【００１６】
請求項４のように、円周状上向きポールユニットが２段装備されており、しかも上段のポール状体と下段のポール状体とが１本の一体のポール状体から成り、小径位置に配設された上段のポール状体は、大径位置に配設された下段の隣接ポール状体の中間に位置するように形成されているので、上段の各上向きポール状体と下段の各上向きポール状体との取付け固定手段を兼用して簡素化でき、全体の構造をシンプルにかつコストダウンできる。
しかも、上段の小径位置の上向きポールと下段の大径位置の上向きポールとは、内外にもジグザグ状にずれているので、大形のコップ類を上向きポールに被せて支持する場合でも、互いに邪魔になることはなく、かつ全体的に小型化される。
【００１７】
請求項５のように、ポール状体を挿入又は挿通できる小径筒体が、箸やフォーク、スプーンなどの食事用器具を入れるコップ状の水切り容器の側面に設けてあるため、多数の上向きポール状体の一部を利用して、小径筒体によってコップ状水切り容器を掛けた状態で、箸やフォーク、スプーンなどの食事用器具を挿入して乾燥できるので、単独では掛けたりできない、箸やフォーク、スプーンなどの食事用器具の洗浄後の乾燥が簡便になる。
【００１８】
請求項６のように、フォークやスプーンなどの首部が挿通される環状部から伸びた両腕部に、前記ポールが挿通される凹円弧状部を有し、先端はポールや前記首部を挿入し易いように開いている着脱補助具を有するため、図２（２）のように、フォークやスプーンなどの首部を環状部に挿通した状態で、凹円弧状部に支持ポールを先端の開放部から挿入すると、コップ類を被せるポールを兼用して、フォークやスプーンを取付けて乾燥させることができる。図２（３）のように、前記ポールを環状部に挿通し、フォークやスプーンなどの首部を凹円弧状部に挿通する使い方も可能である。
【００１９】
請求項７のように、上段又は下段のユニットの各上向きポール状体が上拡がりに開いていて、その中に布巾やキッチンペーパなどの吸水手段を拡げられる構成になっているため、各上向きポール状体によってコップ類を掛けて乾燥できるだけでなく、布巾やキッチンペーパなどの吸水手段を拡げておけば、その上に、洗浄後の箸やフォーク、スプーン、箸置きなどを入れて乾燥させることもでき、コップ状の水切り容器や着脱補助具は必ずしも必要無い。
【図面の簡単な説明】
【００２０】
【図１】円周状上向きポールユニットが複数段有り、上段ユニットが上下スライドする構造である。
【図２】上段ユニットと下段ユニットが上下スライド不可能に固定された構造と着脱補助具を示す図である。
【図３】吊り下げタイプのコップ類スタンドの別の実施形態で、敷布棚を最下段に有している。
【考案を実施するための形態】
【００２１】
次に本考案によるコップ類スタンドが実際上どのように具体化されるか実施形態を説明する。図１は、円周状上向きポールユニットがＵ１、Ｕ２のように複数段有り、しかも上段のユニットＵ２が上下スライドでき、かつ矢印ａ２のように回転する構造であるのに対し、図２は上段のユニットＵ２と下段のユニットＵ１が相対的に上下スライド不可能に互いに固定された構造である。
Ｐはコップ類Ｃを掛けるポール状体であって、円周状に配設されており、しかも上向きに立った状態になっている。各ポールＰの角度は任意であり、図１における下段のポールＰは鉛直状にほぼ真っ直ぐに立っているのに対し、上段のポールＰは、外角が４５度程度に傾斜し、全体的に上向きに開いている。長さ（高さ）も任意であり、上段のポールＰは一定に揃っているのに対し、下段のポールＰは長短様々で、高さの低いポールＰには、底の浅いコップＣ１を逆さにして被せるようにして支持してある。
高いポールＰには、哺乳瓶Ｂのように深い容器を逆さに支持してある。Ａは、コップ状の水切り容器で、図２のように、箸立てのように、箸やフォーク、スプーンなどの食事用器具を洗浄後に挿入し立てて乾燥させる際に使用する。従って、底部は複数の孔８が開いていて、底部の水が容易に流出可能にしてある。
【００２２】
各ポールＰは、直径Ｄの外リングＲ１に固定され、その外部から立ち上がっている。このように、上向きのポール状体Ｐ…が円周状に立った状態になっているので、円周状上向きポールユニットと呼ぶ。
大径の外リングＲ１の内側に同心円状に小径ｄの内リングＲ２が配設されていて、複数本のポールＰ…の取付け部３…が、大小のリングＲ１、Ｒ２に対し放射状に取付け固定されている。取付け手段は、圧接や溶接でも、ロウ付けやハンダ付けでもよく、特に限定されない。
中心軸１を挿通したハブ２に、前記の各ポールＰ…の取付け部３…の中心部を取付け固定してあり、下部にハブキャップ４を被せて固定してある
【００２３】
下段のハブ２は、中心軸１に固定されているのに対し、上段のハブ２は、上下方向にスライド可能に、かつ矢印ａ２のように回転可能に、中心軸１が挿通されている。この上段ハブ２の下降位置を規定するためのストッパー５をパイプ状の中心軸１中に対し出没可能に取付けてある。
すなわち、ストッパー５は、中心軸１中に内蔵されているバネ手段で常時突出していて、上段のストッパー５のように、上段のユニットＵ２を下降しないように受け止めている。指でストッパー５を中心軸１中に押し込んで引っ込めると、上段ユニットＵ２が下降して、下段のストッパー５の上に支持される。下段のストッパー５も押し込むと、上段ユニットＵ２はさらに下降して、下段ユニットＵ１の上に重なる。その結果、最もコンパクトな状態となり、保管や運搬が容易になる。
【００２４】
このコップ類スタンドの使用に際しては、中心軸１の上端のフックｆを、通風性の良い又は熱風が吹き、食器類の乾燥に有利な位置に引っ掛けて全体を吊り下げた状態において、コップＣ、Ｃ１や哺乳瓶Ｂ、箸立て状の水切り容器Ａなどを、上下のユニットＵ１、Ｕ２の各ポールＰ…の総てを利用し、被せるように支持させることによって、洗浄後の水切りと乾燥を行なう。なお、一部のポールＰのみ使用状態を図示してある。
上段のユニットＵ２が高過ぎる場合は、ストッパー５を押し込んで、上段ユニットＵ２を下降させて、下段ユニットＵ１の上に重ねた状態で、上段ユニットＵ２の各ポールＰにコップ類を掛けて支持した状態で、図示のように上段のストッパー５の上側まで押し上げることによって、高い位置で乾燥させることができる。また、上段ユニットＵ２を矢印ａ２方向に回転させて、作業し易いように手前に移動させた状態で、コップ類を掛けたり、取り外したりもできる。
上段のストッパー５では高過ぎる場合は、下段のストッパー５の位置まで下降させて、下段のストッパー５の高さで乾燥させることもでき、所望のストッパー５を選択試用できる。
【００２５】
ポールＰの本数が足りない場合は、鎖線Ｐ’のように、隣接するポールＰ・Ｐ間に補助ポールＰ’を増設して、大小のリングＲ１、Ｒ２に半径方向に取付け固定することもできる。このようにポールの本数が倍増すると、２倍のコップ類を乾せるし、隣接ポール間に直径方向にまな板や杓子などを挿入して挟んだ状態で乾燥させたりもできる。
下段のユニットＵ１のように、丈高のハブ２の上端と内リングＲ２との間にテーパ状に多数のワイヤーＷを張設してあると、多数のワイヤーＷ…に鎖線で示す皿６を立てかけた状態で乾燥させることもできる。皿６の下端を外リングＲ１の内側に挿入すると、皿６両端は隣接する取付け部３・３間に位置決めされるので、安定よく保持される。
なお、下段ユニットＵ１も、中心軸１に対し上下スライドしたり、矢印ａ２方向に回転可能に構成することも可能である。
【００２６】
箸やフォーク、スプーンなどの水切り容器Ａが無い場合は、その代用が必要であるが、上段のユニットＵ２は、各上向きポール状体Ｐ…が上向きに開いているので、その上に布巾やキッチンペーパなどを敷けば、その上に、洗浄後の箸やフォーク、スプーンなどを載せて、水切りし乾燥させることもできる。洗浄後の箸置き、その他の小物を入れることもできる。
【００２７】
図２は卓上載置タイプのコップ類スタンドで、下段ユニットＵ１の各ポールＰ１は、大径の外リングＲ１の位置から立ち上がり、上段ユニットＵ２はの各ポールＰ２は、小径の内リングＲ２の位置から立ち上がっている。そして、下段のポールＰ１と上段のポールＰ２とが、一体のポール状材（線材を含む）からなり、しかも上段の小径ポールＰ２は、下段の隣接大径ポールＰ１・Ｐ１の中間に位置するように、円周方向にずらした状態で、折り曲げ形成されている。従って上から見ると、上下のポールＰ２・Ｐ１が内外にジグザグ状にずれている。
このように、上段のポールＰ２…は下段のポールＰ１…の中間に配設され、かつ内外にもずれているので、大形のコップ類をポールに被せて支持する場合でも、互いに邪魔になることはない。なお、図１のように、上段ユニットＵ２が上下スライドできる場合は、邪魔にならないように、下段ユニットＵ１との間隔を拡大できるので、特に支障は生じないが、図２の一体型では、上下のユニットＵ２・Ｕ１間の間隔の拡大は不可能である。その結果、全体的に小型化できる。
【００２８】
上段ユニットＵ２の連結リングＲ２よりも下段ユニットＵ１の外リングＲ１が大径で、コップ類スタンド全体の安定性が良いため、テーブルや各種台や流しなどの上に載置して使用することもできる。
中心軸１の上端に鎖線で示すようにフックｆを設けると、図１の場合と同様に吊り下げ式も可能である。
下段ポールＰ１と上段ポールＰ２との中間の取付け部３を、リングＲ３、Ｒ４、Ｒ５でハブ２に締め付け固定してあり、かつ要所を溶接やハンダ付け、ロウ付け固定してある。
中心軸１がハブ２中で上下スライドしたり回転可能にしておくと、吊り下げて使用する際に、ハブ２を押し上げてストッパー５を通過させ、ストッパー５の上に、上下段が一体型のコップ類スタンド全体を支持させることもできる。従って、コップ類スタンドの高さは任意に選定できる。
【００２９】
使用に際しては、各ポールＰ１…Ｐ２…Ｐ…Ｐ’…にコップ類を被せるように支持させて洗浄後の乾燥ができるが、箸やフォーク、スプーンなどの食事用器具の乾燥もできる。
箸立て状の水切り容器Ａは、外壁に固定した小径筒体７を有しており、小径筒体７を各ポールに被せると、その天井部７１によって、水切り容器Ａが支持されるので、コップ状の水切り容器Ａ中に箸やフォーク、スプーンなどの食事用器具を挿入して乾燥させることもできる。
小径筒体７として、天井部７１の無い、貫通型を用いて、各ポールを貫通させることも可能である。この場合は、各ポールの下部に小径筒体７を介して水切り容器Ａが保持されることになる。
なお、水切り用容器Ａの底部は複数の貫通孔８が開いていて、内部に水が溜まらないようにしてある。
【００３０】
（２）図のような着脱補助具９を使用すると、フォークやスプーンなどを単独で各ポールに取付けたり、取り外したりできる。
着脱補助具９は、フォークやスプーンなどの首部ｎを挿入できる環状部91から伸びた両腕部に、各ポールを挟持する凹円弧状部９２、９３を有し、先端９４、９５はポールＰ１やＰ２、Ｐを挿入し易いように開いている。
使用に際しては、矢印ａ１方向からフォークやスプーンなどの首部ｎを環状部91中まで挿入した状態で、矢印ａ１方向から所望のポールＰ１やＰ２、Ｐが入るように押し込むと、凹円弧状部９２、９３間にポールＰ１やＰ２、Ｐを挟持することによって、フォークやスプーンなどが所望のポールに取付け支持される。
【００３１】
このようにして着脱補助具９を使用すれは、各ポールにフォークやスプーンなどの首部ｎを取付け支持することによって、環状部91でフォークやスプーンなどを１個ずつ支持できるので、水切り容器Ａを使用しないで、フォークやスプーンなどを１本ずつでも乾燥できて迅速乾燥できるし、フォークやスプーンなどの入った水切り容器Ａでバランスを崩すのも防止できる。
図２（２）における着脱補助具９を、各ポールＰ１・Ｐ２・Ｐ・Ｐ’の下部に装着すれば、同一ポールにコップ類も被せて支持させ、併用もできるし、着脱補助具９を上下２〜３段に取付けることもできる。
また、単一の環状部91や凹円弧状部９２、９３間に、フォークやスプーンなどを複数本ずつ支持することも可能である。
【００３２】
図２（２）における支持ポールＰ１とフォークやスプーンの首部ｎの挿入位置を逆にして、図２（３）のような使い方も可能である。この場合は、ポールＰ１を着脱補助具９’の奥の環状部91中まで挿入して取付け支持してから、フォークやスプーンなどの首部ｎを凹円弧状部９２、９３間に先端の開放部９４、９５間から挿入する。着脱補助具９・９’は、例えば５〜２０ｍｍ程度の高さｈが有った方が安定性が良い。なお、鎖線はスプーンを例示している。
着脱補助具９・９’は、合成樹脂製でも金属製（板金製）でも可能である。
【００３３】
図３は、吊り下げタイプのコップ類スタンドの別の実施形態で、敷布棚１０を最下段に有している。
下段ユニットＵ１のポールＰ１と上段ユニットＵ２のポールＰ２とが一体の線材又はポール状材からなり、しかも上段のポールＰ２は、下段の隣接ポールＰ１・Ｐ１の中間に位置するように、円周方向にかつ内外にずらして配設されるように、折り曲げ形成されている点は、図２と同じである。
中心軸１の下端には敷布棚１０のハブ２を取付け固定してあるので、敷布棚１０の上に布巾やキッチンペーパ１１、１２などを拡げて置くと、上下の各ポールＰ２…、Ｐ１…にコップ類を被せて乾燥させる際に、水滴が滴下しても、敷布棚１０上の布巾やキッチンペーパ１１、１２などに吸水されるので、下を通過する人や床に水滴が滴下して、濡らすといった問題が防げる。
図示例では、敷布棚１０の左側半分に布巾１１を載せ、右側半分に布巾１２を載せてある。
【００３４】
敷布棚１０は、図１、図２におけるポールの外リングＲ１より外側に突出した部分を切除した形状になっている。
この敷布棚１０は、各ポールに支持されたコップ類から滴下する水滴を確実に受けられるように、充分に広くすることは当然である。
コップ類の乾燥後は、布巾やキッチンペーパなどを敷く必要な無いので、敷布棚１０の内外のリングＲ１、Ｒ２を装飾品の吊り下げに兼用できる。例えば、使用しなくなったネックレスやブレスレットなどの鎖類をリングＲ１に吊り下げたり、ブローチやイヤリングなどを吊り下げたりして、家事をしながら眺めることによって、ゴージャスな雰囲気を楽しむことができる。
なお、布巾やキッチンペーパなどで確実に吸水できると、吊り下げてある装飾品が濡れることもないので、常時吊り下げておけることは言うまでもない。
【００３５】
図２のような、箸やフォーク、スプーンなどの水切り容器Ａが無い場合は、敷布棚１０上に敷いた布巾やキッチンペーパ１１、１２などの上に、洗浄後の箸やフォーク、スプーンなどを載せて、水切りし乾燥させることもでき、洗浄後の箸置き、その他の小物を載せて乾燥させることもできる。
また、図１の上段ユニットＵ２のように、上向きポール状体が外側に倒れていて、全体的に上向きに開いている場合は、その中に布巾やキッチンペーパなどの吸水性のシート状体を敷いておくと、図３の敷布棚１０の代用となり、洗浄後の箸やフォーク、スプーン、箸置き等を入れて乾燥させることもできる。外リングＲ１に、使用しなくなったネックレスやブレスレットなどの鎖類、ブローチやイヤリングなどを吊り下げたりもできることは、敷布棚１０の場合と同様である。
なお、図１の上下のユニットＵ２とＵ１を入れ替えて、上向きに開いたユニットを下段に配置することも可能である。
【００３６】
各ポールＰ１、Ｐ２間の取付け部３を取付け支持するハブ２は、中心軸１に対し上下スライド可能な構造でも、固定構造でも可能である。上下スライドする構造の場合は、同時に回転も可能にすると、常に手前の位置でコップ類を着脱できるように、着脱されるポールを図１の矢印ａ２のように手前側に回転させることもでき、着脱操作が簡便になる。
台や卓上に載置する場合は、植木鉢用や食器用などの各種の受け皿の上に載置すれば、布巾類を敷く必要は無い。
なお、図１〜図３における中心軸１を、伸縮可能な構造とすることによって、フックｆをより高い位置に着脱したり、各段のユニットＵ１、Ｕ２の高さを自由に設定でき、取り扱いが簡便になる。
【００３７】
以上の実施形態において、上向きのポール状体Ｐ１・Ｐ２・Ｐ・Ｐ’は、コップ類Ｃを逆さに掛けられるような強度が有り、コップ類を掛けやすいように上向きのポール状（棒状やバー状、スティック状を含む）をしておれば足りる。太めの針金などのような、断面形状が円形の線材が多いが、多角形状でも差し支えない。強度的には、金属製が適しているが、太めにすれば、合成樹脂製でも可能である。必ずしも直線状である必要はなく、湾曲状や折れ曲がっていても差し支えない。
各ポール状体Ｐ１・Ｐ２・Ｐ・Ｐ’の上端には球状体を設けて、球面に形成してあるので、コップ類を被せても、内面が傷つくことはない。美観にも優れている。なお、製法は、各ポール状体と一体成型してもよいが、合成樹脂製の球体を取付けてもよい。
【産業上の利用可能性】
【００３８】
以上のように、本考案によると、多数のコップ類を同時に洗浄し乾燥させることができ、しかもフォークやスプーン、箸なども同時に洗浄・乾燥することも可能である。低い位置でコップ類を円周状上向きポールユニットの各ポールに取付けてから、乾燥時にはより高い位置など、所望の位置にセッティングでき、回転させることによって常に手前でコップ類を着脱することもできる。
特に、フォークやスプーン、箸などは、水切り容器に入れないで、１本ずつ各ポールに支持して通気性を乾燥性を良くすることで、短時間に乾燥させることもできる。以上のように、大量のコップ類や食事用器具を洗浄後に迅速に乾燥させ、衛生的に取り扱うことができ、感染防止にも有効である。
また、業務用では装飾を省いて機能を重視し、大量処理に適した構造とし、家庭用の場合は、洗浄乾燥するコップ類が少ないので、装飾を多くして、シャンデアリ風にすることにって、ゴージャスな雰囲気を楽しむこともできる。
【符号の説明】
【００３９】
Ｕ１・Ｕ２  円周状上向きポールユニット
Ｐ１・Ｐ２・Ｐ・Ｐ’  上向きのポール状体
Ａ  コップ状の水切り容器
Ｒ１  大径の外リング
Ｒ２  小径の内リング
１  中心軸
２  ハブ
３  取付け部
５  ストッパー
Ｃ・Ｃ１  コップ
ｆ  フック
７  小径筒体
９・９’  着脱補助具
１０  敷布棚
１１・１２  布巾やキッチンペーパ
【図１】
0003154025.tif 000003
【図２】
0003154025.tif 000004
【図３】
0003154025.tif 000005
【手続補正書】
【提出日】平成21年4月27日(2009.4.27)
【手続補正１】
【補正対象書類名】実用新案登録請求の範囲
【補正対象項目名】請求項１
【補正方法】変更
【補正の内容】
【請求項１】
複数のコップ類を同時に洗浄し、逆さにして同時乾燥させるのに適するコップ類スタンドであって、
複数の上向きポール状体が円周状に配設されていること、
上向きポール状体を円周状に複数本配設してなる円周状上向きポールユニットをが中心軸に複数段に装備されているか、又は吸水用若しくは乾燥用の布巾類を拡げられる敷布手段が最下段に装備されていることを特徴とするコップ類スタンド。
【手続補正２】
【補正対象書類名】実用新案登録請求の範囲
【補正対象項目名】請求項５
【補正方法】変更
【補正の内容】
【請求項５】
前記のポール状体が挿入又は挿通される小径筒体が、箸やフォーク、スプーンなどの食事用器具を入れるコップ状の水切り容器の側面に設けてあることを特徴とする請求項１から請求項４までのいずれかに記載のコップ類スタンド。
【手続補正書】
【提出日】平成21年7月29日(2009.7.29)
【手続補正１】
【補正対象書類名】実用新案登録請求の範囲
【補正対象項目名】請求項５
【補正方法】変更
【補正の内容】
【請求項５】
箸やフォーク、スプーンなどの食事用器具を入れるコップ状の水切り容器が設けられたコップ類スタンドであって、
前記のポール状体が挿入又は挿通される小径筒体が、前記水切り容器の側面に設けてあることを特徴とする請求項１から請求項４までのいずれかに記載のコップ類スタンド。